(57)【要約】【課題】  不特定多数の人が撮影画像をネット上にアップロードする場合において、アップロードする人が画像に付帯情報を付加しなくても画像の分類，整理が容易となるようにする。【解決手段】  ＧＰＳ及び計時手段を搭載した撮像装置により撮影され撮影位置情報及び撮影日時情報とが付加された撮影画像データをネットを介して収集し公開するイベント画像公開方法において、収集した撮影画像データを撮影位置情報及び撮影日時情報により分類し該撮影位置情報及び撮影日時情報で特定されるイベントに対応付けてネット上で公開する。この公開は、当該イベントに関する前記撮影画像データの登録数が所定数を越えたとき行い前記所定数に達しないときは非公開とする。【選択図】  図２
2006101095.tif 000002
【特許請求の範囲】
【請求項１】
ＧＰＳ及び計時手段を搭載した撮像装置により撮影され撮影位置情報及び撮影日時情報とが付加された撮影画像データをネットを介して収集し公開するイベント画像公開方法において、収集した撮影画像データを撮影位置情報及び撮影日時情報により分類し該撮影位置情報及び撮影日時情報で特定されるイベントに対応付けてネット上で公開することを特徴とするイベント画像公開方法。
【請求項２】
前記公開は、当該イベントに関する前記撮影画像データの登録数が所定数を越えたとき行い前記所定数に達しないときは非公開とすることを特徴とする請求項１に記載のイベント画像公開方法。
【請求項３】
前記イベントに関する前記撮影画像データの登録数が前記所定数より少ない所定判定数に達したとき当該イベントに関する情報をネットを介して収集することを特徴とする請求項２に記載のイベント画像公開方法。
【請求項４】
前記イベントに関する情報の収集は、前記撮影位置情報及び撮影日時情報で特定されるイベント開催団体の情報提供サーバからネットを介して自動で行うことを特徴とする請求項３に記載のイベント画像公開方法。
【請求項５】
前記公開する前記撮影画像データのファイル名を該当イベント名に関連付けて名付けることを特徴とする請求項４に記載のイベント画像公開方法。
【請求項６】
ＧＰＳ及び計時手段を搭載した撮像装置により撮影され撮影位置情報及び撮影日時情報とが付加された撮影画像データをネットを介して収集し公開するイベント画像公開システムにおいて、収集した撮影画像データを撮影位置情報及び撮影日時情報により分類し該撮影位置情報及び撮影日時情報で特定されるイベントに対応付けてネット上で公開する画像管理サーバを備えることを特徴とするイベント画像公開システム。
【請求項７】
前記公開は、当該イベントに関する前記撮影画像データの登録数が所定数を越えたとき行い前記所定数に達しないときは非公開とすることを特徴とする請求項６に記載のイベント画像公開システム。
【請求項８】
前記イベントに関する前記撮影画像データの登録数が前記所定数より少ない所定判定数に達したとき当該イベントに関する情報をネットを介して収集することを特徴とする請求項７に記載のイベント画像公開システム。
【請求項９】
前記イベントに関する情報の収集は、前記撮影位置情報及び撮影日時情報で特定されるイベント開催団体の情報提供サーバからネットを介して自動で行うことを特徴とする請求項３に記載のイベント画像公開システム。
【請求項１０】
前記公開する前記撮影画像データのファイル名を該当イベント名に関連付けて名付けることを特徴とする請求項９に記載のイベント画像公開システム。
【発明の詳細な説明】
【技術分野】
【０００１】
本発明は、デジタルカメラやカメラ付携帯電話機等で撮影された画像を公開する方法及びそのシステムに係り、特に、イベントに関する画像を公開する方法及びそのシステムに関する。
【背景技術】
【０００２】
デジタルカメラ等で撮影した画像を、グループに属する人がネット上で共有するシステムが下記特許文献１，２に記載されている。これらの従来技術は、画像を公開するか否かをネット上にその画像をアップロードした人が決め、限られたグループ内の人だけが画像を閲覧できるシステムである。
【０００３】
しかし、デジタルカメラやカメラ付携帯電話機が普及し、不特定多数の人が撮影画像をネット上にアップロードする様になってきている。そして、あるイベントでの画像、例えば多摩川での花火大会における画像が欲しい人は、その画像をインターネットで探すことができる様になっている。
【０００４】
【特許文献１】特開２００３―１６００２号公報
【特許文献２】特開２００１―３２５２５９号公報
【発明の開示】
【発明が解決しようとする課題】
【０００５】
ネット上に様々な人が撮影画像をアップロードするようになると、アップロードする人はアップロードする画像に一々イベント名に因む名前を付けたりしないことが多いため、ネット上の画像管理サーバでは、どの画像を公開するか非公開にするかの判断や、画像の分類，整理が面倒になってしまう。また、目的画像をネット上で探す人も、目的画像に辿り着くまでの手間が大変なものになるという問題がある。
【０００６】
本発明の目的は、不特定多数の人が撮影画像をネット上にアップロードする場合において画像の公開，非公開の判断を自動的に行うことができ、また、アップロードする人が画像に付帯情報を付加しなくても画像の分類，整理が容易となり、更にまた、有益な情報を自動的に画像管理サーバ側で付加することができるイベント画像公開方法及びそのシステムに関する。
【課題を解決するための手段】
【０００７】
本発明のイベント画像公開方法は、ＧＰＳ及び計時手段を搭載した撮像装置により撮影され撮影位置情報及び撮影日時情報とが付加された撮影画像データをネットを介して収集し公開するイベント画像公開方法において、収集した撮影画像データを撮影位置情報及び撮影日時情報により分類し該撮影位置情報及び撮影日時情報で特定されるイベントに対応付けてネット上で公開することを特徴とする。
【０００８】
本発明のイベント画像公開方法の前記公開は、当該イベントに関する前記撮影画像データの登録数が所定数を越えたとき行い前記所定数に達しないときは非公開とすることを特徴とする。
【０００９】
本発明のイベント画像公開方法は、前記イベントに関する前記撮影画像データの登録数が前記所定数より少ない所定判定数に達したとき当該イベントに関する情報をネットを介して収集することを特徴とする。
【００１０】
本発明のイベント画像公開方法の前記イベントに関する情報の収集は、前記撮影位置情報及び撮影日時情報で特定されるイベント開催団体の情報提供サーバからネットを介して自動で行うことを特徴とする。
【００１１】
本発明のイベント画像公開方法は、前記公開する前記撮影画像データのファイル名を該当イベント名に関連付けて名付けることを特徴とする。
【００１２】
本発明のイベント画像公開システムは、ＧＰＳ及び計時手段を搭載した撮像装置により撮影され撮影位置情報及び撮影日時情報とが付加された撮影画像データをネットを介して収集し公開するイベント画像公開システムにおいて、収集した撮影画像データを撮影位置情報及び撮影日時情報により分類し該撮影位置情報及び撮影日時情報で特定されるイベントに対応付けてネット上で公開する画像管理サーバを備えることを特徴とする。
【００１３】
本発明のイベント画像公開システムの前記公開は、当該イベントに関する前記撮影画像データの登録数が所定数を越えたとき行い前記所定数に達しないときは非公開とすることを特徴とする。
【００１４】
本発明のイベント画像公開システムは、前記イベントに関する前記撮影画像データの登録数が前記所定数より少ない所定判定数に達したとき当該イベントに関する情報をネットを介して収集することを特徴とする。
【００１５】
本発明のイベント画像公開システムの前記イベントに関する情報の収集は、前記撮影位置情報及び撮影日時情報で特定されるイベント開催団体の情報提供サーバからネットを介して自動で行うことを特徴とする。
【００１６】
本発明のイベント画像公開システムは、前記公開する前記撮影画像データのファイル名を該当イベント名に関連付けて名付けることを特徴とする。
【発明の効果】
【００１７】
本発明によれば、不特定多数の人が撮影画像をネット上にアップロードする場合において画像の公開，非公開の判断を自動的に行うことができ、また、アップロードする人が画像に付帯情報を付加しなくても画像の分類，整理が容易となり、更にまた、有益な情報を自動的に画像管理サーバ側で付加することが可能となる。
【発明を実施するための最良の形態】
【００１８】
以下、本発明の一実施形態について、図面を参照して説明する。
【００１９】
（第１の実施形態）
図１は、本発明の第１の実施形態におけるイベント画像公開システムのシステム構成図である。このイベント画像公開システムは、インターネット１を介して接続されるユーザ側装置２とサービス提供側装置３とによって構成される。
【００２０】
ユーザ側装置２は、デジタルカメラ２ａやカメラ付携帯電話機２ｂ等の端末装置で構成されるが、ＧＰＳ（グローバルポジショニングシステム）及び計時手段を搭載し、撮影した画像データに、例えばＥｘｉｆ情報として、撮影した位置（経度，緯度）情報と、撮影日時の情報とを付加できる装置であることが前提である。
【００２１】
これら端末装置２ａ，２ｂがインターネット１に直接接続され撮影画像データをサービス提供側装置３にアップロードできない場合には、撮影画像データを上記付加情報と共に端末装置２ａ，２ｂからパーソナルコンピュータやクレードル等の画像保存端末２ｃに取り込み、画像保存端末２ｃがネット１を介してサービス提供側装置３にアップロードする構成でもよい。
【００２２】
サービス提供側装置３は、インターネット１に接続された画像管理サーバ３ａと、ＬＡＮ３ｂにより画像管理サーバ３ａに接続された画像データベース３ｃとを備える。
【００２３】
図２は、図１に示すイベント画像公開システムにおける処理手順を示すフローチャートである。ユーザ側装置２から、撮影画像データをサービス提供側装置２に対してアップロードする（ステップＳ１）。この場合、ユーザは、アップロードする撮影画像を公開するか否かを指定する必要はなく、単に、アップロードすればよい。
【００２４】
アップロードされた撮影画像データを受信したサービス提供側装置３の画像管理サーバ３ａは、そのＥｘｉｆのタグ情報を読み込み（ステップＳ２）、撮影位置の情報を取得する（ステップＳ３）。そして、データベース３ｃ内に既に作成済みのイベントフォルダ名対応の各位置情報と照合し、その撮影位置の情報が、いずれかの既設イベントフォルダ名の位置情報に含まれるか否かを判定する（ステップＳ４）。例えば、或るイベントフォルダ名が或る野球場に対応しており、その野球場の存在範囲が東経何度から何度の範囲、北緯何度から何度の範囲と分かっているため、撮影位置の情報が、その野球場の存在範囲内に含まれる場合には、その撮影位置の情報は当該イベントフォルダ名の存在範囲に含まれると判定される。
【００２５】
撮影位置の情報が存在範囲に含まれるイベントフォルダ名が既設されていない場合には、新たなイベントフォルダ名を作成し（ステップＳ５）、位置情報が存在範囲に含まれるイベントフォルダ名が既設されている場合にはそのイベントフォルダ名を特定する（ステップＳ６）。
【００２６】
ステップＳ５，Ｓ６の次に、撮影画像データの撮影日時情報を取得する（ステップＳ７）。そして、当該イベントフォルダ名内の既設の日時フォルダ名対応の日時情報と照合し、日時情報が含まれる時間範囲の日時フォルダ名が存在するか否かを判定する（ステップＳ８）。
【００２７】
撮影日時情報が含まれる時間範囲の日時フォルダ名が既設されていない場合には、新たな日時フォルダ名を作成し（ステップＳ９）、日時情報が含まれる日時フォルダ名が既設されている場合にはその日時フォルダ名を特定し（ステップＳ１０）、アップロード画像を該当する日時フォルダ内に登録する（ステップＳ１１）。
【００２８】
これにより、例えば、或る野球場で１０月２０日午後６時〜９時に行われた野球の試合の撮影画像データと、或るサッカースタジアムで１０月２１日午後１〜３時に行われたサッカーの試合の撮影画像データとが、撮影位置情報，撮影日時情報とにより、別々のイベントフォルダ名，日時フォルダ名の中に分類されて登録されることになる。
【００２９】
画像管理サーバ３ａは、各日時フォルダ内の登録画像数を日時フォルダ毎に逐次カウントしており、次のステップＳ１２では、アップロード画像を新たに登録した日時フォルダのカウント数をインクリメントする。そして、カウント数が所定数、例えば５００枚に達した日時フォルダが有るか否かを判定する（ステップＳ１３）。
【００３０】
画像管理サーバ３ａは、カウント数が所定数を越えている日時フォルダに対して当該日時フォルダを公開対象フォルダに設定し（ステップＳ１４）、その内部の登録画像データに対して第３者からのアクセスを可能とする。カウント数が所定数に達していない日時フォルダに対しては、当該日時フォルダを非公開フォルダに設定し（ステップＳ１５）、その内部の登録画像データに対する第３者からのアクセスを禁止する。
【００３１】
カウント数が多い日時フォルダは、それだけ該当のイベントに対する関心が高いと判断でき、そのイベントに参加した人や参加しなかった人も、そのイベントに関する他人の撮影画像データの閲覧数が多くなると予想される。このため、カウント数の多い日時フォルダ内の登録画像データを公開し、不特定多数の人の要望に応える。
【００３２】
これに対し、カウント数の少ない日時フォルダは、個人的な撮影画像データが登録されている可能性が高く、公開しても閲覧する人は少ないと予想される。このため、画像データの検索を行う人が関心の少ない日時フォルダ内を検索してしまう無駄を省くために、カウント数の少ない日時フォルダは非公開とする。
【００３３】
（第２の実施形態）
図３は、本発明の第２の実施形態に係るイベント画像公開システムのシステム構成図である。本実施形態は、第１の実施形態と独立して設けることも可能であるが、第１の実施形態と併用するのが好ましく、サービス提供側装置の画像管理サーバ３ａは、インターネット１を介して、各種イベントを開催する企業，自治体等の情報提供サーバ４ａ，４ｂ，４ｃ，…等と接続される。
【００３４】
第１の実施形態では、「イベントフォルダ名」や「日時フォルダ名」として説明したが、これらの名前が、例えば「多摩川の花火大会」とか、「××対○○のサッカー試合」における「前半戦」「後半戦」等との名称が付けられると、公開された撮影画像を探す人にとって便利となる。しかし、これらの名称を全て人手によって入力するのは大変な作業となる。そこで、この第２の実施形態では、この名称を自動的に付与する構成としている。
【００３５】
図４は、イベント画像公開システムにおける名称自動付加処理の処理手順を示すフローチャートである。図１で説明した撮影画像データが端末装置２ａ，２ｂ，２ｃ等からアップロードされると（ステップＳ１）、インターネット１を介して撮影位置情報，撮影日時情報が付帯情報として付加された撮影画像データがサービス提供側装置３の画像管理サーバ３ａに受信され、画像管理サーバ３ａは、Ｅｘｉｆのタグ情報を読み込む（ステップＳ２）。
【００３６】
画像管理サーバ３ａは、タグ情報の中から、先ず、撮影位置情報を取得し（ステップＳ３）、次に、当該撮影位置情報に対応するイベントフォルダの登録画像データ数Ｎ１と判定数Ｔとを比較する（ステップＳ３１）。そして、登録画像データ数Ｎ１＜Ｔの場合には、登録画像データ数が少なくフォルダ名称を分かり易い名称にする必要性が無いため、ステップＳ３２に進み、この名称自動付加処理を終了する。
【００３７】
登録画像データ数Ｎ１≧Ｔの場合には、ステップＳ３１からステップＳ３３に進み、今度は、撮影日時情報の中の「日」情報を取得する。そして、当該イベントフォルダ内の「日」が同じ登録画像データ数Ｎ２と判定数Ｓとを比較し（ステップＳ３４）、Ｎ２＜Ｓの場合にはステップＳ３５に進み、イベント企業等に対してイベント名の情報提供を依頼する。この情報提供の依頼を受けたイベント企業は、要求されたイベント名の情報を画像管理サーバ３ａに返送し、画像管理サーバ３ａは提供情報を取得する（ステップＳ３６）。
【００３８】
野球場やサッカースタジアム等の地理的に固定されたイベント会場で行われるイベントの場合、撮影画像データに付加されている撮影位置の情報からイベント会場を特定できるため、イベントを開催する企業等がどの企業等であるかを知ることができ、その企業等のインターネット上のアドレスに自動アクセスして情報提供を依頼することができる。
【００３９】
Ｎ２≧Ｓの場合には、ステップＳ３４からステップＳ３７に進み、今度は、日時情報のうちの「時」情報を取得する。そして、当該イベントフォルダ内の「時」が同じ登録画像データ数Ｎ３と判定数Ｕとを比較し（ステップＳ３８）、Ｎ３＜Ｕの場合にはステップＳ３９に進み、イベント企業等に対して日程別のイベント内容等の情報提供を依頼する。この情報提供の依頼を受けたイベント企業は、要求された情報を画像管理サーバ３ａに返送し、画像管理サーバ３ａは提供情報を取得する（ステップＳ３６）。
【００４０】
Ｎ３≧Ｕの場合には、ステップＳ３８からステップＳ４０に進み、イベント企業等に対し時間別のイベント内容等の情報提供を依頼する。この情報提供の依頼を受けたイベント企業は、要求された情報を画像管理サーバ３ａに返送し、画像管理サーバ３ａは提供情報を取得する（ステップＳ３６）。
【００４１】
以上述べた実施形態によれば、撮影画像データが集まるほど、その撮影画像データに関するイベント名やイベント内容等の詳細な情報を得ることができ、フォルダの名称をイベント名に因んで自動的に名付け撮影画像データを分類，整理することが可能となる。また、関心の高いイベントほどその説明内容の情報を得て閲覧者にイベント情報を提供できるため、サービス性が高く使い勝手の優れた画像データベースを構築することが可能となる。
【００４２】
尚、上述した実施形態では、登録画像データ数を判定数と比較しイベント情報の提供を依頼するかしないかを判別したが、これは登録画像データ数が少ないときに一々情報提供を依頼すると処理負荷が高くなるためであり、処理能力が高ければ、登録画像データ数に関わらず、イベント情報の提供を依頼する様にしてもよい。
【００４３】
（第３の実施形態）
図５は、本発明の第３の実施形態に係る説明図である。第１，第２の実施形態に係るイベント画像公開システムの実行により、ＧＰＳ情報で特定される経度緯度の範囲によってイベントが区別され、更に各時間毎のイベントが、「日」情報と「時」情報によりイベントＩＤ（フォルダ名），日時ＩＤとして区別され、各時間毎のイベントのイベント名が企業等から提供されて図５の一覧データが作成される。
【００４４】
ここで、第３者が画像データベース３ｃ内の撮影画像データを閲覧したい場合には、フォルダ名が「○○ショー」等のイベント名で表示されたフォルダを開き各ファイル（撮影画像データ）をビュアーソフトで閲覧することになる。しかし、各ファイル名が、アップロードされたときにユーザ側で付けられた、例えば「ＤＳＣ０００１．ＪＰＧ」というファイル名であると、第３者がこれをダウンロードして自身のパーソナルコンピュータに保存したとき、後でファイル名から何の画像データであるかを識別することができない。
【００４５】
そこで、本実施形態に係る画像管理サーバ３ａは、アップロードされたファイル名「ＤＳＣ＊＊…＊．ＪＰＧ」なる撮影画像データのファイル名を「○○ショー＊＊…＊．ＪＰＧ」とか「○○パレード＊＊…＊．ＪＰＧ」に自動的にリネームしておく構成とする。これにより、ダウンロード後のファイル管理が容易となり、画像管理サーバ３ａのサービス性を一層高めることが可能となる。
【００４６】
また、撮影画像データをアップロードするユーザに対するサービスとしても、イベント名でファイル名をリネームしユーザ側に返送するサービスを提供することは、画像管理サーバ３ａのサービス性を更に高めることになる。このサービスを提供するには、登録画像データ数と判定数との比較によらず、常に、各種イベント情報を画像管理サーバ３ａが収集している必要がある。
【００４７】
尚、上述した各実施形態で、ＧＰＳによる位置情報や撮影日時情報を基に撮影画像データを更に詳しく分類することも可能である。例えば、野球場の一塁側から撮影した画像であるか、三塁側から撮影した画像であるかや、△△選手がホームランを打った時刻の画像であるか等で分類することで、更にきめ細かなサービス提供が可能となる。
【産業上の利用可能性】
【００４８】
本発明に係るイベント画像公開システムは、撮影画像をアップロードするユーザ側には何の負担も掛けることなく、アップロードされた撮影画像をイベント毎に分類して画像データベースを構築し、関心の高いイベントの撮影画像だけを公開するため、サービス性の高い画像データベースを提供するシステムとして有用である。
【図面の簡単な説明】
【００４９】
【図１】本発明の第１の実施形態に係るイベント画像公開システムの構成図である。
【図２】図１に示すイベント画像公開システムにおける処理手順を示すフローチャートである。
【図３】本発明の第２の実施形態に係るイベント画像公開システムの構成図である。
【図４】図３に示すイベント画像公開システムで実行される名称自動付加処理の処理手順を示すフローチャートである。
【図５】本発明の第３の実施形態に係る説明図である。
【符号の説明】
【００５０】
１  インターネット
２  ユーザ側装置
２ａ  デジタルカメラ
２ｂ  カメラ付携帯電話機
２ｃ  データ保存装置
３  サービス提供側装置
３ａ  画像管理サーバ
３ｃ  画像データベース
４ａ，４ｂ，…  イベント提供側の情報提供サーバ
【図１】
2006101095.tif 000003
【図２】
2006101095.tif 000004
【図３】
2006101095.tif 000005
【図４】
2006101095.tif 000006
【図５】
2006101095.tif 000007